(57)【要約】      （修正有）【課題】メインシールにおける所定のシール機能を保障しながら部品点数を多くしたり組立に手間を要したりさせずして製品コストの高騰化を避ける。【解決手段】油圧緩衝器を形成する加締め加工前の外筒１における開口端部１ａの内側に配設のメインシール２を昇降させるシール昇降手段１０と、メインシール２の上昇時に外筒１の内側にガスを充填するガス充填手段２０と、外筒１の内側へのガスの充填後に下降されたメインシール２を所定位置に定着させる加締め加工手段３０とを有し、シール昇降手段１０が軸芯部に挿通される油圧緩衝器を形成のピストンロッド５の軸線方向に移動可能とされながら内側の真空化で下端へのメインシール２の密着を可能にし、加締め加工手段３０が下端部を漏斗状に形成の加締め治具部３１ｂにしながら大気から遮断された密封雰囲気下のガス充填手段２０の内側に配設されると共に軸芯部にシール昇降手段１０を配設させてなる。【選択図】図１
2008064142.tif 000002
【特許請求の範囲】
【請求項１】
油圧緩衝器を形成する加締め加工前の外筒における開口端部の内側に配設のロッドガイドの上に載置されるメインシールを自身の昇降で昇降させるシール昇降手段と、このシール昇降手段を軸芯部に配設させながら下端側部の内側に外筒の開口端部を大気から遮断する封止構造下に導通させると共にメインシールがシール昇降手段によって上昇している状態のときに外筒の内側にガスを充填するガス充填手段と、内部にガスが充填された外筒の開口端部の内側にシール昇降手段によって下降されてロッドガイドの上に載置されたメインシールを外筒の開口端部を内側に折り畳むようにする加締め加工で所定位置に定着させる加締め加工手段とを有し、シール昇降手段が筒状に形成されて軸芯部に外筒の開口端から突出するピストンロッドを挿通させた状態でピストンロッドの軸線方向に移動可能とされながら内側の真空化で下端にメインシールを密着させてなるガス封入装置において、加締め加工手段が下端内周部を漏斗状に形成の加締め治具部にしながら大気から遮断された密封雰囲気下のガス充填手段の軸芯部に昇降可能に配設されると共に軸芯部にシール昇降手段を昇降可能に配設させてなることを特徴とするガス封入装置。
【請求項２】
加締め加工手段とこの加締め加工手段の軸芯部に配設されるシール昇降手段との間に加締め加工手段に対してシール昇降手段を上昇させる方向に附勢する附勢手段が配設されてなる請求項１に記載のガス封入装置。
【請求項３】
ガス充填手段が内側に加締め加工手段を配設させる本体部と、内周を外筒の外周にシール部材の配在下に対向させる下端側部とからなり、この下端側部が本体部に対してシール部材の配在下に分離可能に連結されてなる請求項１にガス封入装置。
【請求項４】
油圧緩衝器を形成する加締め加工前の外筒における開口端部をガス充填手段の下端側部の内側に密封雰囲気下に導入させ、密封雰囲気下にあるガス充填手段の内側に配設の加締め加工手段における軸芯部に配設されたシール昇降手段の上昇で外筒の開口端部の内側に配設のメインシールを上昇させ、メインシールの上昇で外筒の開口端部の内側に出現する通路を介してガス充填手段からのガスを外筒の内側に充填し、内部にガスが充填された外筒の開口端部の内側にシール昇降手段の下降でメインシールを下降させ、加締め加工手段で外筒の開口端部を内側に折り畳むように加締め加工してシール昇降手段で下降されたメインシールを所定位置たるロッドガイドの上に載置した状態に定着させてなることを特徴とするガス封入方法。
【請求項５】
シール昇降手段でメインシールを上昇させるときに、シール昇降手段が外筒の内側に配設されるシリンダ内に出没可能に挿通されるピストンロッドを軸芯部に挿通させながら内側の真空化によって下端にメインシールを吸着させると共にピストンロッドを上昇させてロッドガイドを上昇させてなる請求項４に記載のガス封入方法。
【発明の詳細な説明】
【技術分野】
【０００１】
この発明は、ガス封入装置およびガス封入方法に関し、特に、複筒型の油圧緩衝器を構成する外筒の開口端部を内側に折り畳むように加締め加工して外筒の開口端部の内側に配設されるメインシールで内部に充填されたガスを封入する際の利用に向くガス封入装置およびガス封入方法の改良に関する。
【背景技術】
【０００２】
複筒型の油圧緩衝器にあっては、たとえば、外筒のいわゆるヘッド端部と称される開口端部の内側にロッドガイドが配設されると共にこのロッドガイドの上に載置されるように配設されるメインシールが外筒の開口端部を内側に折り畳むようにする加締め加工で所定位置たるロッドガイドの上に定着されるとし、その結果、このメインシールによって内部に充填されたガスの漏れを阻止する、すなわち、ガスを封入することがある。
【０００３】
ちなみに、ロッドガイドの軸芯部には、外筒の内側に配設の内筒たるシリンダ内に出没可能に挿通されるピストンロッドが貫通するとしており、このピストンロッドの外周にメインシールにおける内周部となるダストリップ部およびオイルリップ部の各内周がそれぞれ摺接してピストンロッドに対する摺動性を保障しながらシール機能を発揮するとしている。
【０００４】
なお、メインシールは、外周部の下面に環状のリブ状に形成の背面シール部を有していて、メインシールの定着時にこの背面シール部を下方のロッドガイドと共に外筒の内周に密着させるようにして、外周と外筒の内周との間におけるいわゆる漏れを阻止するとしている。
【０００５】
ところで、上記のような複筒型の油圧緩衝器におけるガスの封入に際しては、ガス封入装置が利用されることが周知されており、その中で、たとえば、特許文献１に開示されているガス封入装置にあっては、ガスの充填および外筒の開口端部に対する加締め加工が言わば一連の作業で実現されるとしている。
【０００６】
すなわち、この特許文献１に開示のガス封入装置は、外筒の開口端部の内側に配設されるメインシールを昇降させるシール昇降手段と、このシール昇降手段を軸芯部に配設させながら下端側部の内側に外筒の開口端部を封止構造下に臨在させると共にメインシールが上昇しているときに外筒の内側へのガスの充填を可能にするガス充填手段と、内部にガスが充填された外筒の開口端部の内側に下降されたメインシールを外筒の開口端部を内側に折り畳むようにする加締め加工で所定位置に定着させる加締め加工手段とを有してなるとしている。
【０００７】
それゆえ、この特許文献１に開示の提案にあっては、シール昇降手段によってメインシールを上昇させて外筒の開口端を開放すると共に、この開放された外筒の開口端を介してガス充填手段からのガスを内部に充填し、内部に所定量のガスが充填された後にシール昇降手段によってメインシールを下降させ、この状態下に加締め加工手段によって外筒の開口端部を内側に折り畳むように加締め加工することでメインシールを定着させ、複筒型の油圧緩衝器内に充填されたガスを封入することが可能になる。
【０００８】
ちなみに、ガスを封入する前の油圧緩衝器の内部には所定量の作動油が注入されており、したがって、外筒の開口端部の内側に配設されるメインシールは、ガスだけではなく作動油のいわゆる漏れを阻止するのはもちろんである。
【特許文献１】特開２０００‐１２０７５４（明細書中の段落００２２、同００２８から同００４０まで、および、図４から図６まで参照）
【発明の開示】
【発明が解決しようとする課題】
【０００９】
しかしながら、上記した特許文献１に開示の提案にあっては、原理的には、問題ないとしても、所定量のガスをあるいは所定圧のガスを油圧緩衝器の内部に封入するについて、些か問題があると指摘される可能性がある。
【００１０】
すなわち、上記した特許文献１に開示のガス封入装置にあっては、ガスの充填時に上昇されていたメインシールをシール昇降手段によって下降させた状態にしてから、加締め加工手段によって所定位置に定着させるとしているが、このとき、ガス充填手段が外筒の開口端部から撤退して加締め加工手段にいわゆる場所を譲るとしている。
【００１１】
そのため、所定位置に下降されて内部に充填されたガスを言わば仮に封止する態勢におかれるメインシールおよびこのメインシールを配設させる外筒の開口端部が大気中におかれることになり、したがって、加締め加工によって所定位置に定着される前のメインシールがシール昇降手段の作動するところに起因するなどして充填されたガスを確実に封止し得ない事態になる場合には、メインシールの定着前にガスが漏れ出てガス量が不足したりガス圧が不足したりすることになる可能性があり、それゆえ、爾後に完成品たる油圧緩衝器を不良品にすることが危惧されることになる。
【００１２】
この発明は、上記した現状を鑑みて創案されたものであって、その目的とするところは、メインシールが所定位置に定着される前であっても、内部に充填されたガスの漏れによるガス量不足やガス圧不足を招来させずして、油圧緩衝器の完成に完全を期せ、その汎用性の向上を期待するのに最適となるガス封入装置およびガス封入方法を提供することである。
【課題を解決するための手段】
【００１３】
上記した目的を達成するために、この発明によるガス封入装置の構成を、基本的には、油圧緩衝器を形成する加締め加工前の外筒における開口端部の内側に配設のロッドガイドの上に載置されるメインシールを自身の昇降で昇降させるシール昇降手段と、このシール昇降手段を軸芯部に配設させながら下端側部の内側に外筒の開口端部を大気から遮断する封止構造下に導通させると共にメインシールがシール昇降手段によって上昇している状態のときに外筒の内側にガスを充填するガス充填手段と、内部にガスが充填された外筒の開口端部の内側にシール昇降手段によって下降されてロッドガイドの上に載置されたメインシールを外筒の開口端部を内側に折り畳むようにする加締め加工で所定位置に定着させる加締め加工手段とを有し、シール昇降手段が筒状に形成されて軸芯部に外筒の開口端から突出するピストンロッドを挿通させた状態でピストンロッドの軸線方向に移動可能とされながら内側の真空化で下端にメインシールを密着させてなるガス封入装置において、加締め加工手段が下端内周部を漏斗状に形成の加締め治具部にしながら大気から遮断された密封雰囲気下のガス充填手段の軸芯部に昇降可能に配設されると共に軸芯部にシール昇降手段を昇降可能に配設させてなるとする。
【００１４】
そして、この発明によるガス封入方法の構成を、基本的には、油圧緩衝器を形成する加締め加工前の外筒における開口端部をガス充填手段の下端側部の内側に密封雰囲気下に導入させ、密封雰囲気下にあるガス充填手段の内側に配設の加締め加工手段における軸芯部に配設されたシール昇降手段の上昇で外筒の開口端部の内側に配設のメインシールを上昇させ、メインシールの上昇で外筒の開口端部の内側に出現する通路を介してガス充填手段からのガスを外筒の内側に充填し、内部にガスが充填された外筒の開口端部の内側にシール昇降手段の下降でメインシールを下降させ、加締め加工手段で外筒の開口端部を内側に折り畳むように加締め加工してシール昇降手段で下降されたメインシールを所定位置たるロッドガイドの上に載置した状態に定着させてなるとする。
【発明の効果】
【００１５】
それゆえ、この発明のガス封入装置およびガス封入方法にあっては、内部へのガスの充填後、外筒の開口端部に対する加締め加工を終了するまでガス充填手段の内側たる大気から遮断されたいわゆる密封雰囲気下におかれるから、ガス充填手段の内側が所定のガス圧に維持されている限りにおいて、内部に充填されたガスの量に不足を生じたりガス圧に不足を生じたりすることがなく、完成品とされる油圧緩衝器がガス量不足やガス圧不足を理由に不良品とされることがない。
【００１６】
そして、上昇されていたメインシールが下降された状態のとき、仮に充填されたガスの封止を実現できないとしても、ガス充填手段で画成されるいわゆるエリア内が充分なガス圧を保持する状態に維持されている限りにおいて、メインシールが加締め加工手段によって外筒の開口端部を内側に折り曲げるようにする加締め加工で所定位置に定着されて必要なシール機能を発揮することになるので問題はないことになる。
【発明を実施するための最良の形態】
【００１７】
以下に、図示した実施形態に基づいて、この発明を説明するが、ついては、この発明によるガス封入装置を中心に説明することで、この発明によるガス封入方法についても説明する。
【００１８】
すなわち、まず、この発明によるガス封入装置は、図１に示すように、シール昇降手段１０と、ガス充填手段２０と、加締め加工手段３０とを有してなり、複筒型の油圧緩衝器を完成させるために内部にガスを封入する際に、すなわち、この発明によるガス封入方法がこれらの各手段１０，２０，３０を駆使することによって具現化されるとしている。
【００１９】
そして、この発明によるガス封入装置にあっては、実質的にガス充填手段２０の内側にシール昇降手段１０および加締め加工手段３０を配設するようにして、シール昇降手段１０および加締め加工手段３０の各作動、すなわち、シール昇降手段１０および加締め加工手段３０を利用しての各作業がガス充填手段２０の内側となる密封雰囲気下、すなわち、ガス雰囲気下で実行し得るようにしているところに基本的な特徴がある。
【００２０】
ところで、ガス封入が実行される複筒型の油圧緩衝器についてだが、この油圧緩衝器は、図１に示すように、外筒１のいわゆるヘッド端部と称される開口端部１ａの内側にメインシール２を有するとしていて、このメインシール２が外筒１の開口端部１ａを内側に折り畳むようにする加締め加工で所定位置たるロッドガイド３の上に定着されるとき、外筒の内側に充填されたガスの漏れを阻止する、すなわち、ガスを封入するとしている。
【００２１】
そして、この油圧緩衝器にあって、ロッドガイド３の軸芯部には、外筒１の内側に配設の内筒たるシリンダ４内に出没可能に挿通されるピストンロッド５が貫通するとしており、このピストンロッド５の外周にメインシール２における内周部となるダストリップ部２ａおよびオイルリップ部２ｂの各内周がそれぞれ摺接してピストンロッド５に対する摺動性を保障しながらシール機能を発揮するとしている。
【００２２】
ちなみに、この油圧緩衝器にあっては、シリンダ４内にピストン（図示せず）を摺動可能に収装していて、このピストンによってシリンダ４内にロッド側室Ｒ１とピストン側室（図示せず）とを画成すると共に、ピストンが有する減衰バルブ（図示せず）を介してロッド側室Ｒ１とピストン側室との連通を許容し、減衰バルブを作動油が通過することで所定の減衰力が発生されるとしている。
【００２３】
そして、この油圧緩衝器にあっては、外筒１とシリンダ４との間がリザーバ室Ｒとされていて、このリザーバ室Ｒをシリンダ４の下端内部に配設されたベースバルブ部（図示せず）における減衰バルブ（図示せず）を介してシリンダ４内のピストン側室を連通させるとし、減衰バルブを作動油が通過するときに所定の減衰力が発生されるとしている。
【００２４】
そしてまた、この油圧緩衝器にあって、リザーバ室Ｒは、油面Ｏを境にするガス室Ｇを有していて、したがって、この発明のガス封入装置は、このガス室Ｇに窒素ガスを充填すると共に充填された窒素ガスをメインシール２の定着でガス室Ｇに封入するとするものである。
【００２５】
すなわち、この油圧緩衝器にあっては、この発明のガス封入装置によって窒素ガスを充填する際には、あらかじめ所定量の作動油がいわゆる内部に注入されているのが前提となる。
【００２６】
なお、前記したメインシール２は、外周部の下面に環状のリブ状に形成の背面シール部２ｃを有していて、このメインシール２の定着時に背面シール部２ｃを下方のロッドガイド３と共に外筒１の内周に密着させることで、この背面シール部２ｃの外周と外筒１の内周との間におけるいわゆる漏れを阻止し得るとしている。
【００２７】
ところで、上記のように形成された複筒型の油圧緩衝器に対して、この発明によるガス封入装置にあって、まず、シール昇降手段１０は、油圧緩衝器を形成する加締め加工前の外筒１における開口端部１ａの内側に配設のロッドガイド３の上に載置されるメインシール２の昇降を自身の昇降で可能にするとしている。
【００２８】
すなわち、このシール昇降手段１０は、全体的には、外径をメインシール２の外径よりやや小さくする円筒状に形成されていて、軸芯部にピストンロッド５を挿通させた状態でピストンロッド５の軸線方向への移動を可能にすると共に内側の真空化を可能にするとしている。
【００２９】
つまり、このシール昇降手段１０は、図示しないが、上端部が適宜の構造からなる昇降機構に連繋されていて、この昇降機構の作動するところでピストンロッド５の軸線方向に移動する、すなわち、上下動するとしている。
【００３０】
ちなみに、このシール昇降手段１０を昇降させる昇降機構についてだが、要は、このシール昇降手段１０の昇降を実現し得るものであれば良く、たとえば、油圧シリンダが利用されるとしたり、また、モータとこのモータで駆動される螺子軸とこの螺子軸に螺着されるナットとを有してなる送り螺子構造が利用されるとしたりしても良い。
【００３１】
そして、このシール昇降手段１０は、同じく図示しないが、密封構造下に外部と画成される内側の上端側が外部に配設のポンプに連結されていて、このポンプの駆動によって内側の空気が吸引されて、内側におけるいわゆる真空状態の具現化が可能とされるとしている。
【００３２】
なお、このシール昇降手段１０についてだが、図示するところでは、いわゆる上方側と下方側とが一体となった構造に形成されてなるとしているが、これに代えて、図1中に仮想線図で示すように、分割構造に形成されている上方側と下方側とを密封構造に連結する場合には、下方側を径の異なるものに交換することが可能になり、したがって、径の異なるメインシール２を有する油圧緩衝器における外筒１の開口端部１ａに対する加締め加工をも、すなわち、ガス封入を実践し得ることになる。
【００３３】
一方、このシール昇降手段１０は、下端にシール部材１１を有していて、このシール昇降手段１０の下降で下端がメインシール２の環座状に形成された芯金部２ｄに接触することになるとき、シール部材１１によってシール昇降手段１０の内側と外側の連通が遮断されるとしている。
【００３４】
なお、メインシール２における芯金部２ｄは、その内周側に前記したダストリップ部２ａおよびオイルリップ部２ｂを有し、その外周側に前記した背面シール部２ｃを有することはもちろんである。
【００３５】
それゆえ、このシール昇降手段１０にあっては、図２に示すように、これが下降されて下端をメインシール２の芯金部２ｄに接触させた状態下において内側が真空状態にされることで、メインシール２を下端に密着させた状態に保持し得ることになる。
【００３６】
そして、シール昇降手段１０が下端にメインシール２を密着させて内側を真空状態にするときに、その真空時の気圧がどの程度になるかが条件になるが、その数値如何では、内側、すなわち、軸芯部に挿通されているピストンロッド５の吸引、すなわち、上昇を可能にし得ることになる。
【００３７】
このことを勘案すると、このシール昇降手段１０にあっては、内側の真空制御を適正にして、図３に示すように、ピストンロッド５を大きいストロークで上昇させるようにする場合には、このピストンロッド５に保持される伸び切りストッパ５ａがロッドガイド３の下面に接触した状態で、すなわち、担持した状態でメインシール２を上昇させることになる。
【００３８】
その結果、外筒１の開口端は、ロッドガイド３の外周と外筒１の開口端部１ａの内周との間に通路となるいわゆる漏れ隙間を出現させる状態に開放されることになり、したがって、図３中に破線矢印で示すように、後述するガス充填手段２０による外筒１の内側への、すなわち、油圧油圧緩衝器の内部へのガスの充填を容易に実践し得ることになる。
【００３９】
のみならず、このシール昇降手段１０にあっては、メインシール２を上昇させてガスを充填し易くする際に、ピストンロッド５をシリンダ４内から抜き出すようにし得るから、油圧緩衝器におけるガス室Ｇの容積を大きくすることが可能になり、このことから、ガス室Ｇに充填されるガス圧を比較すれば従前のように高くする必要がなくなり、ガス室Ｇへのガスの充填作業を容易にしたり、ガス供給源Ｐの小型化を可能にしたりし得る点で有利となる。
【００４０】
つぎに、この発明によるガス封入装置にあって、ガス充填手段２０は、後述する加締め加工手段３０を内側に配設させると共に、この加締め加工手段３０の軸芯部に上記したシール昇降手段１０を配設させた状態で、油圧緩衝器に対して昇降される態様に形成されてなるとしている。
【００４１】
すなわち、この発明によるガス封入装置を油圧緩衝器のいわゆる上端側に連繋させるときには、油圧緩衝器の上方から油圧緩衝器の軸線方向に沿って下降されて油圧緩衝器の上端側に連繋されるとしている。
【００４２】
そして、このガス封入装置が油圧緩衝器の上端側に連繋された後は、油圧緩衝器に対する一連の作業、すなわち、ガス封入作業を終了するまでは、ガス充填手段２０の油圧緩衝器に連繋する位置が変更されないようにするために、図示しないが、油圧緩衝器を支える適宜の基台に併せて昇降可能に設けられてなるとしている。
【００４３】
ところで、このガス充填手段２０の昇降についてだが、要は、このガス充填手段２０の昇降を実現し得るものであれば良く、たとえば、前記したシール昇降手段１０を昇降させる昇降機構と同様に、油圧シリンダや送り螺子構造が利用されるとして良い。
【００４４】
そして、このガス充填手段２０は、内側に加締め加工手段３０を配設させ、また、この加締め加工手段３０の軸芯部にシール昇降手段１０を配設させた状態で、外筒１の内側へ、すなわち、油圧緩衝器の内部へのガスの充填を可能にするとしている。
【００４５】
そしてまた、このガス充填手段２０は、図示するところでは、内側に加締め加工手段３０を配設させる円筒状に形成の本体部２１と、有底円筒状に形成されて本体部２１の下端側に分離可能に連結される下端側部２２とを有してなるとしている。
【００４６】
そしてさらに、このガス充填手段２０にあって、本体部２１が符号Ｐでのみ示す外部に配設のガス供給源に接続される連通孔２１ａを有していて、本体部２１および下端側部２２の内側へのガスの流入を許容するとしている。
【００４７】
このとき、このガス充填手段２０にあって、本体部２１は、シール部材２１ｂを有していて、この本体部２１と言わば分離構造に形成される下端側部２２との間におけるガス漏れを回避するとしている。
【００４８】
そして、このガス充填手段２０にあって、下端側部２２は、図１中に仮想線位置で示す部位において、たとえば、ボルトの利用下において本体部２１に分離可能に連結されるとしている。
【００４９】
このことからすると、図示するガス充填手段２０にあっては、油圧緩衝器における外筒１の径が区々となる場合にも、下端側部２２が外筒１の外周に対向する内周の径を区々にするいわゆる部品毎に形成されると共に、選択されて本体部２１に連結されるとする場合には、油圧緩衝器における外筒１の径が区々となる場合にも、この発明のガス封入装置を利用し得るようにすることが可能になる。
【００５０】
一方、このガス充填手段２０にあって、下端側部２２は、内周に外筒１の外周に接触するシール部材２２ａを有していて、したがって、言わば本体部２１の内側に流入されるガスが外部に漏れ出ないことになるとしている。
【００５１】
それゆえ、このガス充填手段２０にあっては、図３に示すように、油圧緩衝器にあって、シール昇降手段１０によって、前述したように、ロッドガイド３がその外周と外筒１の開口端部１ａの内周との間にいわゆる漏れ隙間を出現させる状態に開放されるから、同じく図３中に破線矢印で示すように、このガス充填手段２０による外筒１の内側への、すなわち、油圧油圧緩衝器の内部へのガスの充填が可能とされることになる。
【００５２】
さらに、この発明によるガス封入装置にあって、加締め加工手段３０は、内部にガスが充填された外筒１の開口端部１ａの内側に、図４に示すように、シール昇降手段１０によって下降されてロッドガイド３の上に載置されたメインシール２を外筒１の開口端部１ａを内側に折り畳むようにする加締め加工で所定位置に定着させるとしている。
【００５３】
すなわち、この加締め加工手段３０は、全体的に円筒状に形成されてなるとするもので、加締め加工を実践する円筒状に形成の本体部３１と、この本体部３１を昇降させる円筒状に形成の駆動部３２とを有してなるとしている。
【００５４】
このとき、この加締め加工手段３０にあって、本体部３１は、前記したガス充填手段２０における軸芯部に摺動可能に、すなわち、本体部２１の内周にシール部材２１ｃの介在下に摺接する状態に配設されてなるとして、この本体部３１を昇降時のガイド部にするとしている。
【００５５】
それに対して、この加締め加工手段３０にあって、駆動部３２は、前記したシール昇降手段１０を軸芯部に配設させる、すなわち、シール昇降手段１０の外周にシール部材３２ａおよびブッシュ部材３２ｂの介在下に摺接する状態に配設されてなるとして、この駆動部３２を昇降時のガイド部にするとしている。
【００５６】
ちなみに、図示する加締め加工手段３０にあっては、本体部３１が駆動部３２との間におけるガス漏れを阻止するシール部材３１ａを有してなるとしているが、このシール部材３１ａの機能からすれば、これが駆動部３２に配設されてなるとしても良いことはもちろんである。
【００５７】
また、この加締め加工手段３０の昇降については、任意の構成によるとして良いが、多くの場合に、前記したシール昇降手段１０およびガス充填手段２０と同様に、油圧シリンダや送り螺子構造が利用されるであろう。
【００５８】
一方、この加締め加工手段３０にあって、本体部３１は、下端部の内周部を漏斗状に形成の加締め治具部３１ｂにするとしており、この加締め治具３１ｂは、上方に行くに従い径を狭くするように上方に向けて収斂されていて、下端の径を外筒１の開口端部１ａの径より大きくし、上方に行くに従いその径を外筒１の開口端部１ａの径より小さくなるようにしている。
【００５９】
それゆえ、この加締め加工手段３０にあっては、図４に示すように、本体部３１が駆動部３２の駆動で言わば強制的に下降されると、外筒１の開口端部１ａが上端から徐々に内側の折り曲げられるように加締め加工されることになる。
【００６０】
このとき、この発明のガス封入装置にあっては、メインシール２がシール昇降手段１０によって所定位置に定着される状態に維持されているから、また、加締め加工手段３０がガス充填手段２０によって外部たる大気中と遮断された密封雰囲気中たるガス雰囲気中で所定の加締め作業を実践することになるから、ガス充填手段２０の内側が所定のガス圧に維持されている限りにおいて、油圧緩衝器の内部の充填されたガスの量に不足を生じたりガス圧に不足を生じたりすることがなく、完成品たる油圧緩衝器がガス量不足やガス圧不足を理由に不良品とされることがない。
【００６１】
以上のように形成された加締め加工手段３０とシール昇降手段１０との間には、加締め加工手段３０とシール昇降手段１０との間を離間させるように附勢する附勢手段１２が配設されてなるとしており、この附勢手段１２は、図示するところでは、コイルバネからなるとしている。
【００６２】
それゆえ、この附勢手段１２が加締め加工手段３０とシール昇降手段１０との間に配設されることで、たとえば、加締め加工手段３０の動きが阻止されているとき、シール昇降手段１０の移動たる上昇が可能とされることになり、したがって、シール昇降手段１０において内側の真空が解除されるとき、その下端から離れてロッドガイド３の上に離座したメインシール２から速やかに離座することが可能になる。
【００６３】
このことからすれば、もともと加締め加工手段３０とシール昇降手段１０とが作動中に互いに干渉することになるような設定にはしないだろうが、加締め加工手段３０によって外筒１の開口端部１ａを内側に折り曲げるようにする加締め加工の際に、このシール昇降手段１０が加締め加工手段３０に干渉することをあらかじめ回避し得ることになり、したがって、加締め加工手段３０による所定の加締め加工作業にいわゆる作業不全を発現させないことが可能になる。
【００６４】
前記したように、この発明によるガス封入装置およびガス封入方法にあっては、いわゆる動きのある加締め加工手段３０およびシール昇降手段１０がその意味では動きのないガス充填手段２０の内側に配在されてなるとするので、設備を集約でき、セル生産に向き、コストが低減され、しかも、ガス封入装置の利用上での安全性が向上されることになる。
【００６５】
また、この発明によるガス封入装置にあっては、シール昇降手段１０における下方側や加締め加工手段３０における本体部３１、さらには、ガス充填手段２０における下端側部２２をいわゆる径の異なるものに適宜に交換することで、外筒１の径が区々となる油圧緩衝器におけるガス封入に利用可能であることは言うまでもない。
【図面の簡単な説明】
【００６６】
【図１】この発明の一実施形態によるガス封入装置の利用状態を一部破断して示す縦断面図である。
【図２】図１のガス封入装置の作動状態を拡大して示す半截図である。
【図３】図２からのガス封入装置の作動状態を図２と同様に示す図である。
【図４】図３からのガス封入装置の作動状態を図３と同様に示す図である。
【符号の説明】
【００６７】
１  外筒
１ａ  開口端部
２  メインシール
３  ロッドガイド
５  ピストンロッド
１０  シール昇降手段
１２  附勢手段
２０  ガス充填手段
２１  本体部
２１ｂ，２２ａ  シール部材
２２  下端側部
３０  加締め加工手段
３１ｂ  加締め治具部
【図１】
2008064142.tif 000003
【図２】
2008064142.tif 000004
【図３】
2008064142.tif 000005
【図４】
2008064142.tif 000006